【事件の表示】
　特願２０１８−　９４７０９「情報提供方法、電子機器、コンピュータプログラム及び記録媒体」拒絶査定不服審判事件〔平成３０年１２月１３日出願公開、特開２０１８−１９８０５８、請求項の数（１８）〕について、次のとおり審決する。
【結　論】
　原査定を取り消す。
　本願の発明は、特許すべきものとする。
【理　由】
第１　手続の経緯
　本願は、２０１８年（平成３０年）５月１６日（パリ条約により優先権主張外国庁受理　２０１７年５月２４日　韓国）の出願であって、その手続の経緯は次のとおりである。
　平成３１年　４月１６日付け：拒絶理由通知
　令和　元年　７月１８日　　：意見書、手続補正書の提出
　令和　元年１２月１６日付け：拒絶査定（原査定）
　令和　２年　３月２７日　　：審判請求書、手続補正書の提出
　令和　３年　３月１６日付け：拒絶理由（当審拒絶理由）通知
　令和　３年　６月１８日　　：意見書、手続補正書の提出
第２　原査定の概要
　原査定の概要は次のとおりである。
［理由１］新規性欠如
　本願請求項１、２、１３及び１４に係る発明は、以下の引用文献Ａに記載された発明であるから、特許法第２９条第１項第３号に該当し、特許を受けることができない。
［理由２］進歩性欠如
　本願請求項１ないし２０に係る発明は、以下の引用文献ＡないしＣに記載された発明に基いて、その発明の属する技術の分野における通常の知識を有する者（以下、「当業者」という。）が容易に発明をすることができたものであるから、特許法第２９条第２項の規定により特許を受けることができない。
［引用文献等一覧］
Ａ　国際公開第２０１６／１５８７９２号
Ｂ　特表２０１３−５１０３５０号公報（周知技術を示す文献）
Ｃ　特開２０１６−１８１０４７号公報（周知技術を示す文献）
第３　当審拒絶理由の概要
　当審拒絶理由の概要は次のとおりである。
［理由１］明確性要件違反
　本願請求項１ないし２０に係る発明は、以下の点において明確ではないから、特許法第３６条第６項第２号に規定する要件を満たしていない。
［理由２］サポート要件違反
　本願請求項１ないし２０に係る発明は、以下の点において発明の詳細な説明に記載したものではないから、特許法第３６条第６項第１号に規定する要件を満たしていない。
　「他の出力」を提供する「メディア」が、いかなるメディアであるのか明確ではない。
　発明の詳細な説明には、「他の出力」を提供する「メディア」として、「他の出力」を提供することが可能な「他の電子機器」のうち、ユーザから最も近い位置に存在する「他の電子機器」を選択する態様しか記載されていない。
［理由３］進歩性欠如
　本願請求項１、２、８ないし１４及び２０に係る発明は、以下の引用文献１に記載された発明に基いて、当業者が容易に発明をすることができたものであるから、特許法第２９条第２項の規定により特許を受けることができない。
［引用文献等一覧］
１　特表２０１６−５１９８０５号公報
　（当審において新たに提示する文献）
第４　本願発明
　本願請求項１ないし１８に係る発明（以下、それぞれ「本願発明１」ないし「本願発明１８」という。）は、令和３年６月１８日に提出された手続補正書に係る補正（以下、「本件補正」という。）で補正された特許請求の範囲の請求項１ないし１８に記載された事項により特定される発明であり、このうち、本願発明１ないし９は以下のとおりの発明である。
「【請求項１】
　音声基盤インタフェースを含む電子機器の情報提供方法であって、
　前記音声基盤インタフェースでユーザからの音声要請を受信する段階、
　前記音声要請に対応する応答情報を取得する段階、
　前記音声基盤インタフェースに対応するメインメディアおよび前記電子機器と連動可能な他の電子機器が含むサブメディアを含む複数のメディアのうちの少なくとも１つのメディアから、前記応答情報を聴覚的出力形態である返答音声として出力する段階、および
　前記返答音声が出力されるメディアと異なる複数のメディアのうち
前記ユーザから最も近い位置にある
階を含み
　前記他の出力として提供する段階は、
　前記応答情報において、前記返答音声のための応答テンプレートの変数に該当する情報または意味タグが付与された情報に対して前記他の出力を提供する、
【請求項２】
　音声基盤インタフェースを含む電子機器の情報提供方法であって、
　前記音声基盤インタフェースでユーザからの音声要請を受信する段階、
　前記音声要請に対応する応答情報を取得する段階、
　前記音声基盤インタフェースに対応するメインメディアおよび前記電子機器と連動可能な他の電子機器が含むサブメディアを含む複数のメディアのうちの少なくとも１つのメディアから、前記応答情報を聴覚的出力形態である返答音声として出力する段階、および
　前記返答音声が出力されるメディアと異なる複数のメディアのうち
前記ユーザから最も近い位置にある
階を含み
　前記他の出力として提供する段階は、
　前記応答情報に含まれた主要情報として、等級情報、数値情報、方向情報のうちの少なくとも１つを前記他の出力として提供する、
【請求項３】
　音声基盤インタフェースを含む電子機器の情報提供方法であって、
　前記音声基盤インタフェースでユーザからの音声要請を受信する段階、
　前記音声要請に対応する応答情報を取得する段階、
　前記音声基盤インタフェースに対応するメインメディアおよび前記電子機器と連動可能な他の電子機器が含むサブメディアを含む複数のメディアのうちの少なくとも１つのメディアから、前記応答情報を聴覚的出力形態である返答音声として出力する段階、および
　前記返答音声が出力されるメディアと異なる複数のメディアのうち
前記ユーザから最も近い位置にある
階を含み
　前記他の出力として提供する段階は、
　前記応答情報に含まれた等級情報、数値情報、方向情報のうちの少なくとも１つに応じて前記他の出力の大きさ、類型、パターンのうちの少なくとも１つを異なるように提供する、
【請求項４】
　音声基盤インタフェースを含む電子機器の情報提供方法であって、
　前記音声基盤インタフェースでユーザからの音声要請を受信する段階、
　前記音声要請に対応する応答情報を取得する段階、
　前記音声基盤インタフェースに対応するメインメディアおよび前記電子機器と連動可能な他の電子機器が含むサブメディアを含む複数のメディアのうちの少なくとも１つのメディアから、前記応答情報を聴覚的出力形態である返答音声として出力する段階、および
　前記返答音声が出力されるメディアと異なる複数のメディアのうち
前記ユーザから最も近い位置にある
階を含み
　前記他の出力として提供する段階は、
　前記返答音声が出力されるときに、前記応答情報に含まれた等級情報、数値情報、方向情報のうちの少なくとも１つに応じて前記他の出力としてＬＥＤを点灯させる、
【請求項５】
　音声基盤インタフェースを含む電子機器の情報提供方法であって、
　前記音声基盤インタフェースでユーザからの音声要請を受信する段階、
　前記音声要請に対応する応答情報を取得する段階、
　前記音声基盤インタフェースに対応するメインメディアおよび前記電子機器と連動可能な他の電子機器が含むサブメディアを含む複数のメディアのうちの少なくとも１つのメディアから、前記応答情報を聴覚的出力形態である返答音声として出力する段階、および
　前記返答音声が出力されるメディアと異なる複数のメディアのうち
前記ユーザから最も近い位置にある
階を含み
　前記他の出力として提供する段階は、
　前記返答音声が出力されるときに、前記応答情報に含まれた等級情報、数値情報、方向情報のうちの少なくとも１つに応じて前記他の出力として追加のトーンを合成する、
【請求項６】
　前記他の出力として提供する段階は、
　視覚的出力形態、触覚的出力形態、聴覚的出力形態のうちの少なくとも１つによって前記他の出力を提供すること
　を特徴とする、請求項１
〜３のうちの何れか１項
【請求項７】
　前記他の出力として提供する段階は、
　前記返答音声が出力されるときに、前記応答情報と関連するマルチメディアコンテンツを前記他の出力として提供すること
　を特徴とする、請求項１
〜３のうちの何れか１項
【請求項８】
　前記他の出力として提供する段階は、
　前記返答音声の出力と同期化して前記他の出力を提供すること
　を特徴とする、請求項１
〜５のうちの何れか１項
【請求項９】
　前記他の出力として提供する段階は、
　前記音声要請および前記応答情報のうちの少なくとも１つに基づき、前記複数のメディアのうちから前記他の出力のための少なくとも１つのメディアを決定する段階、および　前記決定された少なくとも１つのメディアから前記他の出力が提供されるように、前記応答情報を前記決定された少なくとも１つのメディアに伝達する段階
　を含む、請求項１
〜５のうちの何れか１項
　なお、本願発明１０は、本願発明１ないし９を「コンピュータプログラム」の発明として特定したものであり、本願発明１１は、本願発明１ないし９を「記録媒体」の発明として特定したものである。
　また、本願発明１２ないし１８の各々は、本願発明１ないし７の各々を「電子機器」の発明として特定したものである。
第５　引用文献、引用発明等
１　引用文献１について
（１）引用文献１記載事項
　当審拒絶理由に引用された引用文献１には、図面とともに次の事項が記載されている。なお、下線は、強調のため当審が付与した。（以降においても同様。）
「【００１４】
　図１は、
ユーザー１０４を含む家庭環境１０２内に設置された、例示的な音声対話コンピューティングアーキテクチャ１００
アーキテクチャ１００は、ユーザー１０４が交信可能な電子音声制御デバイス１０６も含む
【００１５】
　一般に、
音声制御デバイス１０６は、少なくとも１つのマイクロフォン１０８を有するマイクロフォンユニットと、少なくとも１つのスピーカー１１０を有するスピーカーユニットと、を含み、ユーザー１０４及び／または他のユーザーとのオーディオ交信を容易にする
「【００２２】
　いくつかの例では、上述のように、
音声制御デバイスはまた、環境１０２内で、例えば、図示のデバイス１３０等の他のデバイスと交信し、デバイス１０６の能力を補完することができる
例えば、デバイス１０６は、そのスピーカー（複数可）１１０を利用して可聴コンテンツを出力することができ、環境内の他のデバイスのディスプレイを利用して、補足的コンテンツを提供することができる
デバイス１０６のメモリ１１４はまた、コンテンツ移行エンジン１３２を記憶する、またはそれにアクセスする。コンテンツ移行エンジン１３２は、環境内の他のデバイス、例えば、デバイス１３０と交信して、他のデバイスに追加のコンテンツの出力を命令するように機能することができる
デバイス１０６はそれらの他のデバイスを利用して視覚コンテンツを出力することができる一方、デバイスはそれらのデバイスを追加的にまたは代替的に利用して追加の可聴コンテンツを出力することができる
「【００２５】
　このような動作のために、
デバイス１０６、リモートコンピューティングリソース１１８、または別のエンティティは、デバイス１０６及び／またはユーザー１０４に近接する、表示可能なデバイスを特定することができる
【００２６】
　
さらに、デバイス１０６は、ユーザーに近接するだけではなく、ユーザーに関連付けられるデバイスを特定することができる
【００２７】
　本実施例では、
デバイス１０６は、ユーザー１０４と関連付けられた表示可能なデバイス１３０を特定することができる
これに応答して、コンテンツ移行エンジン１３２がコンテンツを読み出してこのコンテンツをデバイス１３０に提供すること、命令をデバイス１３０に提供して特定のコンテンツを読み出すこと、またはリモートコンピューティングリソース１１８がコンテンツまたは命令を提供して、コンテンツデバイス１３０にコンテンツを読み出すこと、のうちのいずれかが行われ得る
いずれの場合も、
デバイス１３０は、「ベンジャミンフランクリン」について学ぶというユーザーの最初の要求と関連付けられたコンテンツを表示することができる
前記デバイス
１３０
上のコンテンツは、デバイス１０６からの音声によって提供された要約よりも詳細である。一つの特定の実施例では、デバイス１０６が出力した音声コンテンツには、コンテンツアイテム
の要約が含まれるが、デバイス１３０のディスプレイ上に出力されたコンテンツには、追加部分または全コンテンツアイテム
が含まれる
「【００３９】
　図３Ｃはさらに別の実施例を示す。図示のように、声制御デバイス１０６は以上で考察された可聴コンテンツを出力し、その後、デバイス１０６は追加の情報をユーザーのタブレット（すなわち、デバイス１３０）上に提供した旨を、ユーザーに報告する。このように、ユーザー１０４は、ベンジャミンフランクリンについての情報を要求する初期音声コマンドに続く音声コマンドを発生させることなく、所望の対象に関する追加の情報を受信する。」
「【００４３】
　図５は、上述の技術を利用して
実行可能な例示的なプロセス５００
５０２では、プロセス５００はデバイスが生成するオーディオ信号を受信し、このオーディオ信号にはユーザーからの発話が含まれる
５０４では、プロセスはオーディオ信号内の発話を特定する
いくつかの例では、発話は、特定の情報に関する質問を要求するまたは発生させる、ユーザーコマンドを含む
５０６では、発話を特定することに応答して、プロセス５００によって、デバイスに音声コマンドと関連付けられた第１のコンテンツを出力させ、他のデバイスに音声コマンドと関連付けられた第２の異なるコンテンツを出力させる
いくつかの例では、第１のコンテンツは可聴コンテンツを含み、第２のコンテンツは視覚コンテンツを含む
「【図１】
」
「【図３Ｃ】
」
【００３９】を参酌すると、上記【図３Ｃ】には、
例として、デバイス１０６が、可聴コンテンツとして「ベンジャミンフランクリンはアメリカ合衆国の建国の父のうちの１人であった。追加の情報をあ…」を出力し、デバイス１３０が、追加の情報として、「ベンジャミンフランクリンはアメリカ合衆国の建国の父のうちの１人であり、また、著名な作家、印刷工、政治家、科学者、発明者、音楽家、政治理論学者、活動家、修士…」を表示する
「【図５】
」
（２）引用発明
　したがって、上記引用文献１には次の発明（以下、「引用発明」という。）が記載されていると認められる。
「　ユーザー１０４を含む家庭環境１０２内に設置された音声対話コンピューティングアーキテクチャ１００は、ユーザー１０４が交信可能な電子音声制御デバイス１０６も含み、
　音声制御デバイス１０６は、少なくとも１つのマイクロフォン１０８を有するマイクロフォンユニットと、少なくとも１つのスピーカー１１０を有するスピーカーユニットと、を含み、ユーザー１０４及び／または他のユーザーとのオーディオ交信を容易にし、
　音声制御デバイスはまた、環境１０２内で、例えば、図示のデバイス１３０等の他のデバイスと交信し、デバイス１０６の能力を補完することができ、例えば、デバイス１０６は、そのスピーカー（複数可）１１０を利用して可聴コンテンツを出力することができ、環境内の他のデバイスのディスプレイを利用して、補足的コンテンツを提供することができ、
　デバイス１０６のメモリ１１４はまた、コンテンツ移行エンジン１３２を記憶する、またはそれにアクセスし、コンテンツ移行エンジン１３２は、環境内の他のデバイス、例えば、デバイス１３０と交信して、他のデバイスに追加のコンテンツの出力を命令するように機能することができ、デバイス１０６はそれらの他のデバイスを利用して視覚コンテンツを出力することができる一方、デバイスはそれらのデバイスを追加的にまたは代替的に利用して追加の可聴コンテンツを出力することができ、
　デバイス１０６、リモートコンピューティングリソース１１８、または別のエンティティは、デバイス１０６及び／またはユーザー１０４に近接する、表示可能なデバイスを特定することができ、さらに、デバイス１０６は、ユーザーに近接するだけではなく、ユーザーに関連付けられるデバイスを特定することができ、
　デバイス１０６は、ユーザー１０４と関連付けられた表示可能なデバイス１３０を特定することができ、これに応答して、コンテンツ移行エンジン１３２がコンテンツを読み出してこのコンテンツをデバイス１３０に提供すること、命令をデバイス１３０に提供して特定のコンテンツを読み出すこと、またはリモートコンピューティングリソース１１８がコンテンツまたは命令を提供して、コンテンツデバイス１３０にコンテンツを読み出すこと、のうちのいずれかが行われ得、いずれの場合も、デバイス１３０は、「ベンジャミンフランクリン」について学ぶというユーザーの最初の要求と関連付けられたコンテンツを表示することができ、
　前記デバイス１３０上のコンテンツは、デバイス１０６からの音声によって提供された要約よりも詳細であり、一つの特定の実施例では、デバイス１０６が出力した音声コンテンツには、コンテンツアイテムの要約が含まれるが、デバイス１３０のディスプレイ上に出力されたコンテンツには、追加部分または全コンテンツアイテムが含まれ、
　実行可能な例示的なプロセス５００であって、
　５０２では、プロセス５００はデバイスが生成するオーディオ信号を受信し、このオーディオ信号にはユーザーからの発話が含まれ、
　５０４では、プロセスはオーディオ信号内の発話を特定し、いくつかの例では、発話は、特定の情報に関する質問を要求するまたは発生させる、ユーザーコマンドを含み、
　５０６では、発話を特定することに応答して、プロセス５００によって、デバイスに音声コマンドと関連付けられた第１のコンテンツを出力させ、他のデバイスに音声コマンドと関連付けられた第２の異なるコンテンツを出力させ、いくつかの例では、第１のコンテンツは可聴コンテンツを含み、第２のコンテンツは視覚コンテンツを含み、
　例として、デバイス１０６が、可聴コンテンツとして「ベンジャミンフランクリンはアメリカ合衆国の建国の父のうちの１人であった。追加の情報をあ…」を出力し、デバイス１３０が、追加の情報として、「ベンジャミンフランクリンはアメリカ合衆国の建国の父のうちの１人であり、また、著名な作家、印刷工、政治家、科学者、発明者、音楽家、政治理論学者、活動家、修士…」を表示する、プロセス５００。」
２　引用文献Ａについて
原査定に引用された引用文献Ａには、図面とともに次の事項が記載されている。
「[0001]　本開示は、情報処理装置、
制御方法
「[0017]　図１は、本開示の一実施形態による音声認識システムの概要を説明するための図である。図１に示す
情報処理装置１は、ユーザの発話に対して音声認識・意味解析を行い、ユーザヘの応答を音声により出力することが可能な音声ＵＩエージェント機能を有する
情報処理装置１には、ＬＥＤ
等の発光素子により形成された発光部１８が側面の水平方向中央領域を囲むよう帯状に設けられ
応答生成中やデータ検索中は発光部１８で光が側面上を回っているように制御することで、処理中であることをユーザに知らせることができ
「[0020]　具体的には、
情報処理装置１は、
壁２０に画像を投影して表示する機能を有し、夜の時間帯やユーザの近くで赤ちゃんが寝ている場合には応答をテキスト化して壁２０に投影する出力方法に自動的に切り替え、音声による応答出力を回避し、音声による応用出力が好ましくない環境において適切な応答を行うことができ
「[0056]　＜４−２.　表示による応答出力＞
また、本実施形態による音声ＵＩは、出力許容レベルが低い場合、音声による応答出力を避けて表示による応答出力に切り替える。例えば、
情報処理装置1の決定部１０ｅは、出力許容レベルが第２の閾値よりも低い場合、音声出力ではなく
、投影部１６により応答を示す応答画像２１ｂや応答関連画像２１ｃを壁２０に投影させて表示する方法
に決定する
「[0058]　(サブディスプレイ）
また、
情報処理装置１にサブディスプレイが設けられている場合、決定部１０ｅは、出力許容レベルに応じて当該サブディスプレイを利用した出力方法に決定することも可能である
[0059]　＜４−３.　機器連携による応答出力＞
また、本実施形態による
情報処理装置１は、外部装置との機器連携が可能な場合、出力許容レベルに応じて、外部装置から応答を出力する方法に決定することも可能である
例えば
周辺に設置されているＴＶやＰＣ等の表示画面から表示出力する方法や、ユーザが所持する携帯電話端末、スマートフォン、またはウェアラブル端末等の通信端末に所定のアプリケーションやメールを用いてプッシュ通知する方法に決定してもよい
「[0062]　
また、決定部１０ｅは、ユーザがイヤホンやヘッドホン等の音声出力装置を使用している場合、当該音声出力装置から応答を行う出力方法に決定してもよい
さらに、決定部１０ｅは、ユーザが所持する携帯電話端末、スマートフォン、ウェアラブル端末等の表示画面でも併せて応答出力を行い、音声と表示の両方で応答出力する方法に決定してもよい
「【図１】
」
「【図２】
」
　よって、引用文献Ａには、次の技術事項が記載されていると認められる。
「　制御方法であって、
　情報処理装置１は、ユーザの発話に対して音声認識・意味解析を行い、ユーザヘの応答を音声により出力することが可能な音声ＵＩエージェント機能を有し、
　情報処理装置１は、壁２０に画像を投影して表示する機能を有し、夜の時間帯やユーザの近くで赤ちゃんが寝ている場合には応答をテキスト化して壁２０に投影する出力方法に自動的に切り替え、音声による応答出力を回避し、音声による応用出力が好ましくない環境において適切な応答を行うことができ、
　情報処理装置１には、ＬＥＤ等の発光素子により形成された発光部１８が側面の水平方向中央領域を囲むよう帯状に設けられ、応答生成中やデータ検索中は発光部１８で光が側面上を回っているように制御することで、処理中であることをユーザに知らせることができ、
　情報処理装置1の決定部１０ｅは、出力許容レベルが第２の閾値よりも低い場合、音声出力ではなく、投影部１６により応答を示す応答画像２１ｂや応答関連画像２１ｃを壁２０に投影させて表示する方法に決定し、
　情報処理装置１にサブディスプレイが設けられている場合、決定部１０ｅは、出力許容レベルに応じて当該サブディスプレイを利用した出力方法に決定することも可能であり、
　情報処理装置１は、外部装置との機器連携が可能な場合、出力許容レベルに応じて、外部装置から応答を出力する方法に決定することも可能であり、例えば、周辺に設置されているＴＶやＰＣ等の表示画面から表示出力する方法や、ユーザが所持する携帯電話端末、スマートフォン、またはウェアラブル端末等の通信端末に所定のアプリケーションやメールを用いてプッシュ通知する方法に決定してもよく、
　また、決定部１０ｅは、ユーザがイヤホンやヘッドホン等の音声出力装置を使用している場合、当該音声出力装置から応答を行う出力方法に決定してもよく、
　さらに、決定部１０ｅは、ユーザが所持する携帯電話端末、スマートフォン、ウェアラブル端末等の表示画面でも併せて応答出力を行い、音声と表示の両方で応答出力する方法に決定してもよい、
　制御方法。」
３　引用文献Ｂについて
　原査定に引用された引用文献Ｂには、図面とともに次の事項が記載されている。
「【要約】
コマンドの触覚的確認のためのシステム及び方法が開示される。例えば、
音声コマンドの受信を確認するための触覚効果を生成するシステム
前記筐体に触覚効果を出力するように構成されるアクチュエータ
４　引用文献Ｃについて
　原査定に引用された引用文献Ｃには、図面とともに次の事項が記載されている。
「【０００２】
　従来より、ユーザの腕に装着して使用するリスト型端末がある。このようなリスト型端末においては、
入力に応じて情報を画面や画面以外の音や振動で出力する技術
第６　当審拒絶理由についての判断
１　理由１（明確性要件違反）及び理由２（サポート要件違反）について
　本件補正により、本件補正後の請求項１ないし１８に係る発明においては、「他の出力」を提供する「メディア」は、「前記
ユーザから最も近い位置にある
　よって、理由１（明確性要件違反）及び理由２（サポート要件違反）は、いずれも解消した。
２　理由３（進歩性欠如）について
（１）本願発明１について
ア　対比
　本願発明１と引用発明とを対比する。
（ア）引用発明の「音声制御デバイス１０６」は、「電子機器」といい得るものである。
　また、本願明細書の【００１７】の記載「音声基盤インタフェース（一例として、マイクとスピーカ）を含む電子機器１００」からすると、本願発明１の「音声基盤インタフェース」は、少なくとも「マイク」と「スピーカ」である態様を含む。
　そして、引用発明の「音声制御デバイス１０６」は、「マイクロフォン１０８」と「スピーカー１１０」を有する（含む）ものであるから、本願発明１の「音声基盤インタフェースを含む電子機器」に相当する。
　また、引用発明は、「音声制御デバイス１０６」により、「そのスピーカー（複数可）１１０を利用して可聴コンテンツを出力することができ、環境内の他のデバイスのディスプレイを利用して、補足的コンテンツを提供することができ」るものであり、「プロセス５００」は、「５０６」の段階において、「デバイス」に「可聴コンテンツ」である「第１のコンテンツ」を出力させ、「他のデバイス」に「視覚コンテンツ」である「第２のコンテンツ」を出力させるものであるから、引用発明の「プロセス５００」は、「可聴コンテンツ」及び「補足的コンテンツ」（「視覚コンテンツ」）といった「情報」を「提供」する方法といい得るものである。
　よって、引用発明における「プロセス５００」は、本願発明１の「音声基盤インタフェースを含む電子機器の情報提供方法」に相当する。
（イ）引用発明は、
「音声制御デバイス１０６は、少なくとも１つのマイクロフォン１０８を有するマイクロフォンユニットと、少なくとも１つのスピーカー１１０を有するスピーカーユニットと、を含み、ユーザー１０４及び／または他のユーザーとのオーディオ交信を容易にし、」、及び、
「実行可能な例示的なプロセス５００において、５０２では、プロセス５００はデバイスが生成するオーディオ信号を受信し、このオーディオ信号にはユーザーからの発話が含まれ、５０４では、プロセスはオーディオ信号内の発話を特定し、いくつかの例では、発話は、特定の情報に関する質問を要求するまたは発生させる、ユーザーコマンドを含み」との構成を備えることから、引用発明の「プロセス５００」の「５０２」の段階において、「デバイスが生成するオーディオ信号を受信」することは、「音声制御デバイス１０６」が、「マイクロフォン１０８」で、「ユーザからの発話」（「特定の情報に関する質問を要求する又は発生させる、ユーザーコマンド」を含む。）を含む「オーディオ信号」を「受信」する段階を備えているといえる。
　ここで、引用発明の「マイクロフォン１０８」は、前記（ア）より本願発明１の「前記音声基盤インタフェース」に含まれるものであり、また、引用発明における「特定の情報に関する質問を要求する又は発生させる、ユーザーコマンド」を含む「発話」を含む「オーディオ信号」は、本願発明１の「音声要請」に相当する。
　よって、引用発明の「プロセス５００」の「５０２」の段階は、本願発明１の「前記音声基盤インタフェースでユーザからの音声要請を受信する段階」に相当する。
（ウ）引用発明は
「デバイス１０６は、ユーザー１０４と関連付けられた表示可能なデバイス１３０を特定することができ、これに応答して、コンテンツ移行エンジン１３２がコンテンツを読み出してこのコンテンツをデバイス１３０に提供すること、命令をデバイス１３０に提供して特定のコンテンツを読み出すこと、またはリモートコンピューティングリソース１１８がコンテンツまたは命令を提供して、コンテンツデバイス１３０にコンテンツを読み出すこと、のうちのいずれかが行われ得」及び
「５０６では、発話を特定することに応答して、プロセス５００によって、デバイスに音声コマンドと関連付けられた第１のコンテンツを出力させ、」
との構成を備えることから、引用発明の「プロセス５００」の「５０６」の段階は、「音声制御デバイス１０６」が、「発話」に応答して、「コンテンツ移行エンジン１３２」により、当該「発話」に含まれる「音声コマンド」（ユーザーコマンド）に関連付けられた「（第１の）コンテンツ」を読み出すことにより「取得する段階」を行うものといえる。
　そして、前記（イ）を参酌すれば、引用発明において、「音声コマンド」（ユーザーコマンド）に関連付けられた「（第１の）コンテンツ」は、本願発明１の「前記音声要請に対応する応答情報」に相当する。
　よって、引用発明の「プロセス５００」の「５０６」の段階は、本願発明１の「前記音声要請に対応する応答情報を取得する段階」に相当する。
（エ）引用発明は、「デバイス１０６は、そのスピーカー（複数可）１１０を利用して可聴コンテンツを出力することができ、環境内の他のデバイスのディスプレイを利用して、補足的コンテンツを提供することができ」との構成を備えることから、「補足的コンテンツ」を提供する「他のデバイスのディスプレイ」は「サブメディア」といい得るものであり、「スピーカー１１０」は、前記「補足的コンテンツ」に対して主たるコンテンツとなる「可聴コンテンツ」を出力する「メインメディア」といい得るものである。
　よって、引用発明において、「音声制御デバイス１０６」が有する前記「スピーカー１１０」は、本願発明１の「前記音声基盤インタフェースに対応するメインメディア」に相当する。
　引用発明の「音声制御デバイス１０６」の「コンテンツ移行エンジン１３２」は、「環境内の他のデバイス」である「デバイス１３０」に「追加のコンテンツの出力を命令するように機能することができ」るものであり、そのことにより、「環境内の他のデバイスのディスプレイを利用して、補足的コンテンツを提供することができ」ることから、「デバイス１３０」は、「音声制御デバイス１０６」と「連動可能」な「他の電子機器」といい得るものである。
　よって、引用発明において、「デバイス１３０」（他のデバイス）は、本願発明１の「前記電子機器と連動可能な他の電子機器」に相当し、「デバイス１３０」（他のデバイス）の「ディスプレイ」は、本願発明１の「前記電子機器と連動可能な他の電子機器が含むサブメディア」に相当する。
（オ）引用発明は、
「デバイス１０６は、そのスピーカー（複数可）１１０を利用して可聴コンテンツを出力することができ、環境内の他のデバイスのディスプレイを利用して、補足的コンテンツを提供することができ」及び
「５０６では、発話を特定することに応答して、プロセス５００によって、デバイスに音声コマンドと関連付けられた第１のコンテンツを出力させ、…いくつかの例では、第１のコンテンツは可聴コンテンツを含み」
との構成を備えることから、引用発明の「音声制御デバイス１０６」は、「発話」に応答して「スピーカー１１０」から、「第１のコンテンツ」として「可聴コンテンツ」を出力する段階を行うものといえ、ここで、「スピーカー１１０」から出力される「可聴コンテンツ」は、本願発明１の「聴覚的出力形態である返答音声」に相当する。
　そして、前記（エ）を参酌すると、引用発明の「スピーカー１１０」は、「音声制御デバイス１０６」が有する「スピーカー１１０」（本願発明１の「前記音声基盤インタフェースに対応するメインメディア」に相当。）と、「デバイス１３０」の「ディスプレイ」（本願発明１の「前記電子機器と連動可能な他の電子機器が含むサブメディア」に相当。）を含む「複数のメディアのうちの少なくとも１つのメディア」に相当する。
　なお、引用発明は、「デバイス１０６はそれらの他のデバイスを利用して視覚コンテンツを出力することができる一方、デバイスはそれらのデバイスを追加的にまたは代替的に利用して追加の可聴コンテンツを出力することができ」との構成も備えることから、「可聴コンテンツ」を出力するものは、「デバイス１０６」に替えて「他のデバイス」でもよく、当該「他のデバイス」が「可聴コンテンツ」を出力するメディアも、「複数のメディアのうちの少なくとも１つのメディア」に相当する。
　よって、引用発明の「プロセス５００」の「５０６」の段階において、「発話を特定することに応答して」「デバイスに音声コマンドと関連付けられた第１のコンテンツ」（「可聴コンテンツ」）を出力することは、本願発明１の「前記音声基盤インタフェースに対応するメインメディアおよび前記電子機器と連動可能な他の電子機器が含むサブメディアを含む複数のメディアのうちの少なくとも１つのメディアから、前記応答情報を聴覚的出力形態である返答音声として出力する段階」に相当する。
（カ）前記（エ）及び（オ）を参酌すると、引用発明の「プロセス５００」の「５０６」の段階において、「音声制御デバイス１０６」は、「デバイス１３０」（他のデバイス）の「ディスプレイ」から「補足的コンテンツ」を提供する段階を行うものといえる。
　また、引用発明は、「デバイス１０６、リモートコンピューティングリソース１１８、または別のエンティティは、デバイス１０６及び／または
ユーザー１０４に近接する、表示可能なデバイスを特定する
　ここで、「近接」は、「近い位置」にあることと同義であるから、引用発明においては、「他のデバイス」として、「音声制御デバイス１０６」とは異なる複数のデバイス（異なる複数のメディア）のうちユーザから近い位置にある表示可能なデバイス（メディア）を選択して、当該デバイス（デバイス）から、「補助的コンテンツ」を出力するものといえる。
　引用発明は、さらに、
「デバイス１３０は、「ベンジャミンフランクリン」について学ぶというユーザーの最初の要求と関連付けられたコンテンツを表示することができ」及び
「デバイス１０６が出力した音声コンテンツには、コンテンツアイテムの要約が含まれるが、デバイス１３０のディスプレイ上に出力されたコンテンツには、追加部分または全コンテンツアイテムが含まれ」
との構成を含むことから、引用発明において、「デバイス１３０」の「ディスプレイ」から出力される「補足的コンテンツ」は、「スピーカー１１０」から出力される「音声コンテンツ」（「可聴コンテンツ」、「第１のコンテンツ」）の「少なくとも一部」であるといえる。
　以上より、引用発明の「プロセス５００」の「５０６」の段階において、「デバイス１３０」の「ディスプレイ」から「補足的コンテンツ」を提供する段階と、本願発明１の「前記返答音声が出力されるメディアと異なる複数のメディアのうち前記ユーザから
最も
イ　一致点、相違点
　したがって、本願発明１と引用発明との間には、次の一致点、相違点があるといえる。
［一致点］
「　音声基盤インタフェースを含む電子機器の情報提供方法であって、
　前記音声基盤インタフェースでユーザからの音声要請を受信する段階、
　前記音声要請に対応する応答情報を取得する段階、
　前記音声基盤インタフェースに対応するメインメディアおよび前記電子機器と連動可能な他の電子機器が含むサブメディアを含む複数のメディアのうちの少なくとも１つのメディアから、前記応答情報を聴覚的出力形態である返答音声として出力する段階、および
　前記返答音声が出力されるメディアと異なる複数のメディアのうち前記ユーザから近い位置にあるメディアから、前記応答情報のうちの少なくとも一部を他の出力として提供する段階を含む、
　情報提供方法。」
［相違点］
＜相違点１＞
　「他の出力」を提供する「前記ユーザから近い位置にあるメディア」が、本願発明１は、「前記ユーザから
最も
近接
最も
＜相違点２＞
　本願発明１は、
「前記他の出力として提供する段階は、
　前記応答情報において、前記返答音声のための応答テンプレートの変数に該当する情報または意味タグが付与された情報に対して前記他の出力を提供する」
との構成を備えるのに対し、引用発明はそのような構成を備えない点。
ウ　相違点についての判断
　事案に鑑みて、上記相違点２について先に検討すると、相違点２に係る本願発明１の構成、すなわち、「前記返答音声のための応答テンプレートの変数に該当する情報または意味タグが付与された情報」に対して「他の出力」を提供することは、上記引用文献１には記載されておらず、本願優先日前において周知技術であるともいえない。
　また、引用発明は、「一つの特定の実施例では、デバイス１０６が出力した音声コンテンツには、コンテンツアイテムの
要約
追加部分
全コンテンツ
　したがって、相違点１について判断するまでもなく、本願発明１は、当業者であっても引用文献１に記載された発明に基いて容易に発明をすることができたものであるとはいえない。
（２）本願発明２について
ア　対比、一致点、相違点
　本願発明２と引用発明とを対比すると、両者は、以下の点において一致ないし相違する。
［一致点］
　前記（１）イの［一致点］と同じ。
［相違点］
　前記（１）イの＜相違点１＞に加え、
＜相違点３＞
　　本願発明２は、
「　前記他の出力として提供する段階は、
　前記応答情報に含まれた主要情報として、等級情報、数値情報、方向情報のうちの少なくとも１つを前記他の出力として提供する」
との構成を備えるのに対し、引用発明はそのような構成を備えない点。
イ　相違点についての判断
　事案に鑑みて、上記相違点３について先に検討すると、相違点３に係る本願発明２の構成、すなわち、「前記応答情報に含まれた主要情報として、等級情報、数値情報、方向情報のうちの少なくとも１つ」を「他の出力」として提供することは、上記引用文献１には記載されておらず、本願優先日前において周知技術であるともいえない。
　また、引用発明の構成を、相違点３に係る本願発明２の構成に変更する動機付けも存在しない。
　したがって、相違点１について判断するまでもなく、本願発明２は、当業者であっても引用文献１に記載された発明に基いて容易に発明をすることができたものであるとはいえない。
（３）本願発明３について
ア　対比、一致点、相違点
　本願発明３と引用発明とを対比すると、両者は、以下の点において一致ないし相違する。
［一致点］
　前記（１）イの［一致点］と同じ。
［相違点］
　前記（１）イの＜相違点１＞に加え、
＜相違点４＞
　　本願発明３は、
「　前記他の出力として提供する段階は、
　前記応答情報に含まれた等級情報、数値情報、方向情報のうちの少なくとも１つに応じて前記他の出力の大きさ、類型、パターンのうちの少なくとも１つを異なるように提供する」
との構成を備えるのに対し、引用発明はそのような構成を備えない点。
イ　相違点についての判断
　事案に鑑みて、上記相違点４について先に検討すると、相違点４に係る本願発明３の構成、すなわち、「前記応答情報に含まれた等級情報、数値情報、方向情報のうちの少なくとも１つ」に応じて「他の出力」の「大きさ、類型、パターンのうちの少なくとも１つを異なるように」提供することは、上記引用文献１には記載されておらず、本願優先日前において周知技術であるともいえない。
　また、引用発明の構成を、相違点４に係る本願発明３の構成に変更する動機付けも存在しない。
　したがって、相違点１について判断するまでもなく、本願発明３は、当業者であっても引用文献１に記載された発明に基いて容易に発明をすることができたものであるとはいえない。
（４）本願発明４について
ア　対比、一致点、相違点
　本願発明４と引用発明とを対比すると、両者は、以下の点において一致ないし相違する。
［一致点］
　前記（１）イの［一致点］と同じ。
［相違点］
　前記（１）イの＜相違点１＞に加え、
＜相違点５＞
　　本願発明４は、
「　前記他の出力として提供する段階は、
　前記返答音声が出力されるときに、前記応答情報に含まれた等級情報、数値情報、方向情報のうちの少なくとも１つに応じて前記他の出力としてＬＥＤを点灯させる」
との構成を備えるのに対し、引用発明はそのような構成を備えない点。
イ　相違点についての判断
　事案に鑑みて、上記相違点５について先に検討すると、相違点５に係る本願発明４の構成、すなわち、「前記応答情報に含まれた等級情報、数値情報、方向情報のうちの少なくとも１つ」に応じて「他の出力」として「ＬＥＤを点灯させる」ことは、上記引用文献１には記載されておらず、本願優先日前において周知技術であるともいえない。
　また、引用発明の構成を、相違点５に係る本願発明４の構成に変更する動機付けも存在しない。
　したがって、相違点１について判断するまでもなく、本願発明４は、当業者であっても引用文献１に記載された発明に基いて容易に発明をすることができたものであるとはいえない。
（５）本願発明５について
ア　対比、一致点、相違点
　本願発明５と引用発明とを対比すると、両者は、以下の点において一致ないし相違する。
［一致点］
　前記（１）イの［一致点］と同じ。
［相違点］
　前記（１）イの＜相違点１＞に加え、
＜相違点６＞
　　本願発明５は、
「　前記他の出力として提供する段階は、
　前記返答音声が出力されるときに、前記応答情報に含まれた等級情報、数値情報、方向情報のうちの少なくとも１つに応じて前記他の出力として追加のトーンを合成する」
との構成を備えるのに対し、引用発明はそのような構成を備えない点。
イ　相違点についての判断
　事案に鑑みて、上記相違点６について先に検討すると、相違点６に係る本願発明５の構成、すなわち、「前記応答情報に含まれた等級情報、数値情報、方向情報のうちの少なくとも１つ」に応じて「他の出力」として「追加のトーンを合成する」ことは、上記引用文献１には記載されておらず、本願優先日前において周知技術であるともいえない。
　また、引用発明の構成を、相違点６に係る本願発明５の構成に変更する動機付けも存在しない。
　したがって、相違点１について判断するまでもなく、本願発明５は、当業者であっても引用文献１に記載された発明に基いて容易に発明をすることができたものであるとはいえない。
（６）本願発明６及び７について
　本願発明６及び７は、相違点２に係る本願発明１の構成、相違点３に係る本願発明２の構成又は相違点４に係る本願発明３の構成のいずれかを備えるから、本願発明１ないし３と同様に、当業者であっても引用文献１に記載された発明に基いて容易に発明をすることができたものであるとはいえない。
（７）本願発明８及び９について
　本願発明８及び９は、相違点２に係る本願発明１の構成、相違点３に係る本願発明２の構成、相違点４に係る本願発明３の構成、相違点５に係る本願発明４の構成、又は、相違点６に係る本願発明５の構成のいずれかを備えるから、本願発明１ないし５と同様に、当業者であっても引用文献１に記載された発明に基いて容易に発明をすることができたものであるとはいえない。
（８）本願発明１０及び１１について
　本願発明１０は、本願発明１ないし９を「コンピュータプログラム」の発明として特定したものであり、本願発明１１は、本願発明１ないし９を「記録媒体」の発明として特定したものであり、いずれも、相違点２に係る本願発明１の構成、相違点３に係る本願発明２の構成、相違点４に係る本願発明３の構成、相違点５に係る本願発明４の構成、又は、相違点６に係る本願発明５の構成のいずれかに対応する構成を備えるから、本願発明１ないし５と同様に、当業者であっても引用文献１に記載された発明に基いて容易に発明をすることができたものであるとはいえない。
（９）請求項１２ないし１８について
　本願発明１２ないし１８の各々は、本願発明１ないし７の各々を「電子機器」の発明として特定したものであるから、相違点２に係る本願発明１の構成、相違点３に係る本願発明２の構成、相違点４に係る本願発明３の構成、相違点５に係る本願発明４の構成、又は、相違点６に係る本願発明５の構成のいずれかに対応する構成を備えるから、本願発明１ないし５と同様に、当業者であっても引用文献１に記載された発明に基いて容易に発明をすることができたものであるとはいえない。
　以上のとおりであるから、理由３（進歩性欠如）は解消した。
　したがって、当審拒絶理由は、いずれも解消した。
第７　原査定についての判断
　本件補正により、補正後の請求項１ないし１８は、相違点２に係る本願発明１の構成、相違点３に係る本願発明２の構成、相違点４に係る本願発明３の構成、相違点５に係る本願発明４の構成、又は、相違点６に係る本願発明５の構成又はこれらに対応する構成を有するものとなった。これらの構成は、原査定における引用文献ＡないしＣには記載されておらず、本願優先日前における周知技術でもないので、本願発明１ないし１８は、引用文献Ａに記載された発明ではなく、また、当業者であっても、原査定における引用文献ＡないしＣに記載された発明に基いて容易に発明をすることができたものではない。
　なお、引用文献Ａには、基本的な構成として、いずれか１つのメディア（音声、表示等）により応答を出力することが記載され、付加的な構成として「さらに、決定部１０ｅは、ユーザが所持する携帯電話端末、スマートフォン、ウェアラブル端末等の表示画面でも併せて応答出力を行い、音声と表示の両方で応答出力する方法に決定してもよい」と記載されているものの、当該付加的な構成において、音声による応答出力と表示による応答出力との関係ないし差違について具体的な記載はなく、引用文献Ｂ及びＣの記載事項並びに本願優先日前の周知技術を参酌しても、当業者が、相違点２ないし６に係る本願発明１ないし１８の構成を採用することが容易であるとはいえない。
　したがって、原査定を維持することはできない。
第８　むすび
　以上のとおり、原査定の理由によって、本願を拒絶することはできない。
　他に本願を拒絶すべき理由を発見しない。
　よって、結論のとおり審決する。